(57)【特許請求の範囲】
【請求項１】
首回りを囲む襟台（１）と、襟台に取付けた略三角形の左右の襟羽（２ａ，２ｂ）とを備え、襟台は、左右いずれか一方側の前身頃（１１ａ）よりも他方側に突出する重ね片（１３）と、他方側の襟羽（２ｂ）に隠れる位置に設けた重ね片の止め部（４ａ，５ａ）を有し、左右の襟羽（２ａ，２ｂ）は、首回りに沿って首回りサイズ（Ｌ）の１／６〜４／６の間隔（Ａ）をあけて襟台（１）に取付けてあると共に、縦辺（８）の上端部付近を襟台（１）に重ねて止める襟羽止め部（１２）を有することを特徴とする襟付きシャツ。
【請求項２】
重ね片の止め部（４ａ）は、重ね片（１３）を襟台（１）の長さ方向に沿って移動可能であることを特徴とする請求項１記載の襟付きシャツ。
【請求項３】
一方側の襟羽（２ａ）に隠れる位置の襟台（１）上にも重ね片の止め部（４ｂ，５ｂ）を設けてあることを特徴とする請求項１又は２記載の襟付きシャツ。
【発明の詳細な説明】
【技術分野】
【０００１】
本発明は、ワイシャツ等の襟付きのシャツに関する。
【背景技術】
【０００２】
通常のワイシャツの襟は、首回りを囲むように襟台を設け、襟台の上縁に外襟を縫い付け、外襟を襟台の外周に折り返してあり、襟台と外襟の間にネクタイを通している。そのため、ネクタイを締めるときには、いったん外襟をまっすぐに立てた状態でネクタイを締め、ネクタイを締めてから外襟を外側に折り曲げている。このように従来のワイシャツでは、外襟を立てたり折り曲げたりする必要があることから、ネクタイを締めるのに手間取ることがあった。
また、襟台は第１ボタンで止めるようになっており、第１ボタンを止めると首回りが窮屈になり、さらに襟が全体的に襟台と外襟とで二重になっているために、夏の暑い時期には首回りに汗をかきやすく、ネクタイを締めるとさらに暑苦しくなる。しかし第１ボタンを外すと、襟元が開く上に襟元がしっかりと立ち上がらないので、だらしなく見えてしまう。
また、冬の寒い時期に首回りにマフラー等を巻く場合に、通常のワイシャツでは襟がマフラー等によって隠れてしまい、襟を見せたい場合には外襟の内側にマフラー等を押し込めなければならず、そうするとマフラー等が首回りに直接当たらなくなって暖かさが感じられない。
【０００３】
タキシードなどのフォーマルスーツ用のシャツの襟型として、図１２に示すようなウイングカラーが知られている。これは、立ち襟（スタンドカラー）９０の両端部に、前に折れる小さな三角形の襟羽９１，９１を有しており、蝶ネクタイを締めて着用する。このようなウイングカラーのシャツは、フォーマル用の特殊なもので、襟の形が通常のワイシャツとは大きく異なっていることから、仮にオフィス等で着用したとすれば奇異な印象を与えかねない。
【発明の開示】
【発明が解決しようとする課題】
【０００４】
本発明は以上に述べた実情に鑑み、ネクタイを締めるときに締めやすく、夏は涼しく、冬は首回りにマフラー等を巻くことで暖かく感じることができ、しかも通常のワイシャツと同じ感覚で着ることのできる襟付きシャツの提供を目的とする。
【課題を解決するための手段】
【０００５】
上記の課題を達成するために、請求項１記載の発明による襟付きシャツは、首回りを囲む襟台と、襟台に取付けた略三角形の左右の襟羽とを備え、襟台は、左右いずれか一方側の前身頃よりも他方側に突出する重ね片と、他方側の襟羽に隠れる位置に設けた重ね片の止め部を有し、左右の襟羽は、首回りに沿って首回りサイズの１／６〜４／６の間隔をあけて襟台に取付けてあると共に、縦辺の上端部付近を襟台に重ねて止める襟羽止め部を有することを特徴とする。
【０００７】
請求項２記載の発明による襟付きシャツは、上記の構成に加え、重ね片の止め部は、重ね片を襟台の長さ方向に沿って移動可能であることを特徴とする。
【０００８】
請求項３記載の発明による襟付きシャツは、上記の構成に加え、一方側の襟羽に隠れる位置の襟台上にも重ね片の止め部を設けてあることを特徴とする。  
【発明の効果】
【０００９】
請求項１記載の発明による襟付きシャツは、左右の襟羽が、首回りに沿って首回りサイズの１／６〜４／６の間隔をあけて襟台に取付けてあることで、ネクタイを締めるときに襟羽をいちいち立てたり折り曲げたりする手間が要らず、ネクタイを締めるのが非常に楽である。また、通常のワイシャツのように首の後側で襟が二重にならないので、夏はとても涼しく感じられるし、冬の寒い時期には、首回りにマフラー等を巻けば首の後ろ側がマフラー等で直接被われるため暖かく感じられ、且つ襟羽をマフラー等の前に出して見えるようにすることができる。また、正面から見ると、左右の襟羽が通常のワイシャツ等の襟と同じように見えるので、不自然な感じがしない。特にシャツの上に上着を重ねて着用した場合には、上着の襟がシャツの襟羽の上に被るので、通常のワイシャツを着ているのと何ら変わらないように見える。しかも本発明の襟付きシャツは、襟羽の縦辺の上端部付近を襟台に重ねて止める襟羽止め部を有するので、襟羽が襟台や前身頃から浮き上がることを防止できる。
さらに本発明の襟付きシャツは、重ね片を他方側の襟羽の下で止め部に止めることで、襟元が広がるのを防止できると共に、襟元がしっかり立ち上がり、きれいな襟の形を維持することができ、ネクタイを締めない場合でもだらしない感じを与えない。  
【００１１】
さらに、請求項２記載の発明による襟付きシャツは、重ね片を襟台の長さ方向に沿って移動して止め部に止めることで、首回りサイズを適宜調節することができ、首回りが締め付けられることがない。
【００１２】
さらに、請求項３記載の発明による襟付きシャツは、一方側の襟羽に隠れる位置の襟台上にも重ね片の止め部を設けてあるので、夏の暑い時期などには重ね片を一方側に折り返した状態で止め部に止めることで、襟台の合わせ部が離れるため、首回りが一層楽になると同時により涼しく感じることができ、しかも重ね片が垂れ下がってだらしなく見えることがない。
【発明を実施するための最良の形態】
【００１３】
以下、本発明の実施の形態を図面に基づいて説明する。図１は、本発明の第１実施形態に係る襟付きシャツの襟部の正面図であり、図２は同襟付きシャツの襟部の斜視図であり、図３は同襟付きシャツの襟部の展開図である。本襟付きシャツは、通常のワイシャツとは襟部の形態のみが異なるものであり、以下、襟部の形態について説明する。
【００１４】
本襟付きシャツは、図１や図３に示すように、左右の前身頃１１ａ，１１ｂと肩ヨーク１４の上縁に帯状の襟台１が縫い付けてあり、襟台１の上縁の左右両側に三角形の形をした左右の襟羽２ａ，２ｂが縫い付けてあり、襟羽２ａ，２ｂを襟台１の外側に折り曲げてある。襟台１と襟羽２ａ，２ｂは、内部に芯地を埋め込んで張りを持たせてある。左右の前身頃の合わせ部３ａ，３ｂには前立て（図示省略）を設けて若干張りを持たせてあり、右前身頃の合わせ部３ｂには複数のボタン１５が上下に間隔をおいて縫い付けてあり、それに対応して左前身頃の合わせ部３ａには複数のボタンホール２１が上下に間隔をおいて設けてある。
【００１５】
襟台１は、図３に示すように、右側の端部が右前身頃の合わせ部３ｂと連続しており、左側の端部は左前身頃の合わせ部３ａよりも側方に突出させて重ね片１３を形成してある。重ね片１３は、上向きに曲がった形状となっている。重ね片１３の先端部の表面には、雄側スナップボタン１６ｂが縫い付けてあり、同じ位置の裏面側にも雄側スナップボタン１６ａが縫い付けてある。図３（ｂ）に示すように、襟台１の表面の左右の襟羽２ａ，２ｂに隠れる位置には、重ね片１３を通すための通し紐４ａ，４ｂと雌側スナップボタン５ａ，５ｂとがそれぞれ縫い付けてある。
【００１６】
左右の襟羽２ａ，２ｂは、襟台１への取付辺６と下辺７と縦辺８とで三角形をなしており、取付辺６を襟台１の上縁に沿って縫い付けて取り付けられ、取付辺６に沿って襟台１の外側に折り曲げてある。縦辺８の上端部付近は、図３に示すように、５〜１０ｍｍ程度の長さで襟台１に縫い付けて、襟羽止め部１２を設けてある。左右の襟羽２ａ，２ｂの剣先部２０は、襟台１の下方までのびている。
左右の襟羽２ａ，２ｂは、図３（ａ）に示すように、首回りサイズＬの約１／３の間隔Ａをあけて襟台１の上縁に縫い付けてある。具体的には、首回りサイズ４１ｃｍに対して、左右の襟羽２ａ，２ｂの間の間隔Ａを１２ｃｍとしている。襟羽２ａ，２ｂの取付辺６と縦辺８との角９は、図１に示すように、襟台１の上縁が成す三角形の左右のコーナー部１０に位置している。左右の襟羽２ａ，２ｂの下辺７と取付辺６との角は、襟元１７で互いに近接する。
【００１７】
本襟付きシャツは、通常は図４と図５（ａ）に示すように、重ね片１３を右側の襟羽２ｂの下の通し紐４ａに通した上で、先端部裏面側に縫い付けた雄側スナップボタン１６ａを右側の襟羽２ｂの下の雌側スナップボタン５ａに止めて着用する。このように、重ね片１３を右側の襟羽２ｂの下で襟台１上に止めることで、図２と図４に示すように、襟元１７がしっかりと立ち上がり、襟元１７がきれいに整えられる。そのため、ネクタイを締めなくてもだらしない感じがしない。また着用すると、図５（ａ）に示すように、襟台１の首１８の横から首の後ろ側にかけての部分が首回りに沿ってやや湾曲するため、正面から見ると、襟羽２ａ，２ｂの取付辺６と縦辺８との角９が首１８の後ろ側に隠れ、襟の形が襟台の全長に外襟を縫い付けてある通常のワイシャツと同じように見える。
また、左右の襟羽２ａ，２ｂが首１８の後ろ側で分離しており、通常のワイシャツのように首の後ろ側で襟が二重になっていないので、夏にはとても涼しく感じることができる。また、本襟付きシャツを畳んでタンス等に収納する際には、首の後ろ側で襟が二重になっていないことで、図６に示すように、襟部を平面的に畳めるためシャツの嵩が小さくなり、同じ容積でたくさんのシャツを収納することができる。
【００１８】
重ね片１３は、通し紐４ａに通すだけにして、先端の雄側スナップボタン１６ａを襟台の雌側スナップボタン５ａに止めなくてもよい。その場合は、重ね片１３が襟台１の長さ方向に自由にスライドするため、首回りが締め付けられることがなく、しかも重ね片１３が右側の襟羽２ｂの下で通し紐４ａにより止まっていることで、首回りを多少ルーズにしてもだらしない感じがしない。また、図５（ｂ）に示すように、重ね片１３を根元から折り返し、左側の襟羽２ａの下で通し紐４ｂとスナップボタン５ｂ，１６ｂを利用して止めれば、襟台１の合わせ部が離れるため、首回りが一層楽になると共に、より一層涼しくなる。
【００１９】
本襟付きシャツは、図７に示すように、ネクタイ１９を締めて着用することもできる。ネクタイ１９を締める際には、襟羽２ａ，２ｂが下に垂れたままの状態で襟羽２ａ，２ｂと襟台１の間にネクタイ１９を通せばよく、通常のワイシャツのように外襟を立てたり折り曲げたりする手間が要らないので、ネクタイ１９を締めるのが非常に楽である。ネクタイ１９を締めた場合でも、襟羽２ａ，２ｂを襟羽止め部１２で襟台１に止めてあることで、襟羽２ａ，２ｂが襟台１や前身頃１１ａ，１１ｂから浮き上がることを防止できる。側方や後方から見たときには、ネクタイ１９の首回りへの巻回部が襟台１上で露出するが、上着を着ればそれほど目立たなくなるし、そのようにネクタイ１９が襟台１上で露出することが、かえっておしゃれに感じられる場合もある。
また、図８に示すように、上着２２を着た場合には、上着の襟２２ａ，２２ｂが襟羽２ａ，２ｂの外側の縁部に被いかぶさるため、シャツの襟の見え方が通常のワイシャツを着ているのと何ら変わらない状態になる。
【００２０】
図９は、本発明の襟付きシャツの第２実施形態を示す襟部の正面図である。襟羽２ａ，２ｂは、第１実施形態のものよりも長さが短くなっているとともに、剣先部２０を襟羽止め部に相当するボタン１２で前身頃１１ａ，１１ｂに止めて、いわゆるボタンダウンにしている。左右の襟羽２ａ，２ｂの間には、首回りサイズの１／３＋２．５ｃｍ程度の間隔を設けており、襟羽２ａ，２ｂの取付辺６と縦辺８との角９は、襟台１の上縁が成す三角形の左右のコーナー部１０から僅かに下に下がった位置に位置している。ネクタイを締める際には、襟羽２ａ，２ｂの剣先部２０を前身頃１１ａ，１１ｂに止めたままの状態で、襟羽２ａ，２ｂの後ろにネクタイを通すことで、極めて容易にネクタイを締めることができる。
図１０は、本襟付きシャツを着用し、首回りに薄手のマフラー２３を巻いた状態を示している。この場合には、首１８の後ろ側にマフラー２３が直接当たり、首１８と襟台１との隙間がマフラー２３で被われるため非常に暖かく感じられる。また、マフラー２３を襟羽２ａ，２ｂの後に通すことで襟羽２ａ，２ｂを見せることができる上、襟羽２ａ，２ｂで押えられることでマフラー２３がずり落ちない。
【００２１】
図１１（ａ）は、左右の襟羽２ａ，２ｂの間の間隔Ａを首回りサイズの１／６とした場合を示しており（図中に、襟ぐりの内周側に記した細い実線は、首回りサイズを６等分する位置を示している。）、図１１（ｃ）は、同間隔Ａを首回りサイズの４／６とした場合を示している。本発明の襟付きシャツでは、左右の襟羽２ａ，２ｂの間の間隔Ａを、首回りサイズの１／６〜４／６の間で任意に設定できる。同間隔Ａを首回りサイズの１／６よりも小さくした場合には、襟羽２ａ，２ｂが首の後ろ側に回りこむ長さが長くなりすぎて、ネクタイを締めるのが容易である、夏涼しいといった本発明の効果が発揮されなくなる可能性があり、また同間隔Ａを首回りサイズの４／６よりも大きくした場合には、襟羽２ａ，２ｂの幅が細くなりすぎ、通常のワイシャツの襟とは見た目が大きく異なってくるし、上着を着た場合でも上着の襟とシャツの襟片の間に隙間ができ、その隙間からネクタイの紐の部分が覗いて好ましくないからである。図１１（ｂ）に示すように、左右の襟羽２ａ，２ｂの間の間隔Ａを首回りサイズの１／３程度（好ましくは１／３±４ｃｍ）とした場合には、正面から見た場合に襟の形が通常のワイシャツとほとんど変わらなくなり、しかもネクタイを締めるのが容易である、夏涼しいといった本発明の効果が十分に発揮され、最も効果的である。
【００２２】
本発明は、以上に述べた実施形態に限定されない。襟羽の長さ、開き角度は任意であり、また襟羽の剣先部を丸い形にすることもできる。襟羽の縦辺は、一直線に限らず、外側にふくらむように途中で曲がっていてもよい。重ね片は、襟台とは別に形成して襟台に縫い付けてもよい。重ね片の止め部は、通し紐とスナップボタン等の掛け止め具の何れか一方だけを設けてもよく、また、面ファスナーを用いてもよい。本発明は、襟付きシャツ全般に適用することができ、男性物のワイシャツやドレスシャツ以外にも、例えば女性物のカッターシャツやブラウス等にも適用できる。    
【図面の簡単な説明】
【００２３】
【図１】本発明の第１実施形態の襟付きシャツの襟部の正面図である。
【図２】本発明の第１実施形態の襟付きシャツの襟部の斜視図である。
【図３】本発明の第１実施形態の襟付きシャツの襟部の展開図であって、（ａ）は襟羽を折り曲げた状態、（ｂ）は襟羽をのばした状態を示している。
【図４】本発明の第１実施形態の襟付きシャツの着用時における襟部の側面図である。
【図５】本発明の第１実施形態の襟付きシャツの着用時における襟部の正面図であって、（ａ）は重ね片を右側の襟羽の下の止め部に止めた状態、（ｂ）は重ね片を折り返して左側の襟羽の下の止め部に止めた状態を示している。
【図６】本発明の第１実施形態の襟付きシャツの畳んだ状態の斜視図である。
【図７】本発明の第１実施形態の襟付きシャツの着用時における襟部の正面図であって、ネクタイを締めた状態を示している。
【図８】本発明の第１実施形態の襟付きシャツの着用時における襟部の正面図であって、ネクタイを締め且つ上着を着用した状態を示している。
【図９】本発明の第２実施形態の襟付きシャツの襟部の正面図である。
【図１０】本発明の第２実施形態の襟付きシャツの着用時における襟部の正面図であって、首回りにマフラーを巻いた状態を示している。
【図１１】本発明の襟付きシャツの実施例を示す襟部の概略正面図であって、（ａ）は左右の襟羽の間の間隔を首回りサイズの１／６にした場合、（ｂ）は同間隔を首回りサイズの１／３にした場合、（ｃ）は同間隔を首回りサイズの４／６にした場合を示している。
【図１２】シャツの襟部の従来例（ウイングカラー）を示す斜視図である。
【符号の説明】
【００２４】
１  襟台
２ａ，２ｂ  襟羽
３ａ，３ｂ  前身頃の合わせ部  
４ａ，４ｂ  通し紐（止め部）
５ａ，５ｂ  雌側スナップボタン（止め部）
１１ａ，１１ｂ  前身頃
１２  襟羽止め部
１３  重ね片
Ａ  左右の襟羽の間の間隔
Ｌ  首回りサイズ
【図１】
0004728844.tif 000002
【図２】
0004728844.tif 000003
【図３】
0004728844.tif 000004
【図４】
0004728844.tif 000005
【図５】
0004728844.tif 000006
【図６】
0004728844.tif 000007
【図７】
0004728844.tif 000008
【図８】
0004728844.tif 000009
【図９】
0004728844.tif 000010
【図１０】
0004728844.tif 000011
【図１１】
0004728844.tif 000012
【図１２】
0004728844.tif 000013